(57)【要約】【課題】パネル同士を異なる見込方向に連設することができるとともに、施工性の良い間仕切り壁を提供する。【解決手段】パネル１１と、前記パネル１１の上部を支持する上レール１６と、前記パネル１１の下部を支持する下レール１７と、前記下レール１７及び前記パネル１１の下縁部を覆う巾木２５と、前記パネル１１と略等しい見込幅で形成され、前記上レール１６及び前記下レール１７の分岐部１０ａ又は屈折部１０ｂに固定されることで隣り合う前記パネル１１を異なる見込み方向に連結可能な中柱４０と、を備えた。前記巾木２５は、裏面に設けられた嵌合部２６，２７によって前記下レール１７の側面に設けられた被嵌合部２０，２２に装着される。前記中柱４０は、底面４０ａが前記嵌合部２６，２７及び前記被嵌合部２０，２２よりも上に配置されるように前記下レール１７に固定されるようにした。【選択図】図１３
2012082601.tif 000002
【特許請求の範囲】
【請求項１】
パネルと、
前記パネルの上部を支持する上レールと、
前記パネルの下部を支持する下レールと、
前記下レール及び前記パネルの下縁部を覆う巾木と、
前記パネルと略等しい見込幅で形成され、前記上レール及び前記下レールの分岐部又は屈折部に固定されることで隣り合う前記パネルを異なる見込み方向に連結可能な中柱と、
を備え、
前記巾木は、裏面に設けられた嵌合部によって前記下レールの側面に設けられた被嵌合部に装着され、
前記中柱は、底面が前記嵌合部及び前記被嵌合部よりも上に配置されるように前記下レールに固定されることを特徴とする、間仕切り壁。
【請求項２】
前記中柱を前記上レールに固定するための上固定金具と、
前記中柱を前記下レールに固定するための下固定金具と、
を備え、
前記上固定金具及び前記下固定金具は、前記中柱の内側に固定されて使用されることを特徴とする、請求項１記載の間仕切り壁。
【請求項３】
前記中柱の下端部には切欠きが形成されるとともに、前記下レールの上面には前記切欠きに嵌入される突条が形成され、
更に、前記突条は溝を形成し、前記下固定金具は、前記溝の間に配置されて前記下レールに固定されることを特徴とする、請求項２記載の間仕切り壁。
【請求項４】
前記下固定金具は、上下方向に延びる長孔を介して前記中柱にねじ止めされることで、前記中柱に対しての上下位置を調整可能となっており、
前記下固定金具を前記中柱に対して上位置にねじ止めしたときには、前記下固定金具が前記切欠きに入り込むように形成され、
前記下固定金具を前記中柱に対して下位置にねじ止めしたときには、前記下固定金具が前記下レールに固定可能であることを特徴とする、請求項２又は３記載の間仕切り壁。
【請求項５】
前記上固定金具の側部からは、ガイド片が下方に延設されており、このガイド片は、前記中柱の中空部の内周に沿うように設けられていることを特徴とする、請求項２〜４のいずれかに記載の間仕切り壁。
【請求項６】
前記巾木は、前記中柱の下部を覆うように設けられ、前記中柱の下部を覆う部分には前記嵌合部が設けられていないことを特徴とする、請求項１〜５のいずれかに記載の間仕切り壁。
【請求項７】
パネルの上部を支持する上レールとパネルの下部を支持する下レールとを平行に配置し、この上レール及び下レールに沿って複数のパネルを連結するとともに、前記上レール及び前記下レールの分岐部又は屈折部に中柱を固定することで、隣り合うパネルを異なる見込み方向に連結可能とした間仕切り壁の施工方法であって、
前記中柱を前記下レールに固定するための下固定金具を備え、この下固定金具は、上下方向に延びる長孔を介して前記中柱にねじ止めされることで、前記中柱に対しての上下位置を調整可能となっており、
前記中柱の下端部には切欠きが形成されるとともに、前記下レールの上面には前記切欠きに嵌入される突条が形成されており、
前記下固定金具を前記中柱に対しての上位置にねじ止めすることで、前記下固定金具が前記切欠きに入り込むように仮止めするステップと、
前記中柱の切欠きに前記突条を嵌入させるように、前記中柱を前記下レールの上に載置するステップと、
前記下固定金具の仮止めを緩めるステップと、
前記下固定金具を前記下レールに当接するまで下方向にスライドさせるステップと、
前記下固定金具を前記中柱及び前記下レールにねじ止めして固定するステップと、
を備えることを特徴とする、間仕切り壁の施工方法。
【請求項８】
パネルの上部を支持する上レールとパネルの下部を支持する下レールとを平行に配置し、この上レール及び下レールに沿って複数のパネルを連結するとともに、前記上レール及び前記下レールの分岐部又は屈折部に中柱を固定することで、隣り合うパネルを異なる見込み方向に連結可能とした間仕切り壁の施工方法であって、
前記中柱を前記上レールに固定するための上固定金具を備え、この上固定金具は、前記中柱の中空部に挿入されるガイド片が下方に延設されたものであり、
前記上レールに前記上固定金具を取り付けた後に、前記上固定金具のガイド片に沿って前記中柱を前記上レールに嵌め込み、前記上固定金具と前記中柱とを固定することを特徴とする、間仕切り壁の施工方法。
【発明の詳細な説明】
【技術分野】
【０００１】
この発明は、間仕切り壁及び間仕切り壁の施工方法に関し、特に、上下レールでパネルを支持する間仕切り壁及び間仕切り壁の施工方法に関するものである。
【背景技術】
【０００２】
従来、建物内の内部空間を仕切るための内壁として間仕切り壁が使用されている。このような間仕切り壁は、通常、複数のパネルを任意の数だけ連設可能に形成されており、これによって部屋の大きさやスタイルに応じたパーティションを作れるように形成されている。
【０００３】
例えば、特許文献１には、天井と床とに上下に略平行に配設された上レールと下レールとの間にパネルを支持させた間仕切壁が開示されている。この発明においては、上レールがパネルの上端部を挿入させて支持するとともに、下レールがパネルの下端部を接合させて支持し、この上レール及び下レールの間に複数のパネルを連設するようになっている。
【０００４】
また、特許文献２には、支柱およびパネルからなり、支柱を介してパネルを連設した間仕切りが開示されている。
【先行技術文献】
【特許文献】
【０００５】
【特許文献１】特開２００８−８０５８号公報
【特許文献２】特開平０８−２９１５７０号公報
【発明の概要】
【発明が解決しようとする課題】
【０００６】
ところで、こうした間仕切り壁は、部屋を仕切ることで間取りを変化させるために使用されるが、上記した特許文献１記載の間仕切壁は、パネルを一直線に連設したものであるため、間取りのバリエーションが限られてしまうという問題があった。
【０００７】
一方、特許文献２記載の間仕切り壁は、平面視Ｌ字またはＴ字状の壁を作ることは可能であるものの、何もない空間に支柱を設置して、その間にパネルを配置するものであり、壁設置場所の位置決めが困難であり、施工性が悪いという問題があった。
【０００８】
そこで、本発明は、パネル同士を異なる見込方向に連設することができるとともに、施工性の良い間仕切り壁を提供することを課題とする。
【課題を解決するための手段】
【０００９】
本発明は、上記した課題を解決するためになされたものであり、以下を特徴とする。
【００１０】
（請求項１）
請求項１に記載の発明は、以下の点を特徴とする。
【００１１】
すなわち、請求項１に記載の間仕切り壁は、パネルと、前記パネルの上部を支持する上レールと、前記パネルの下部を支持する下レールと、前記下レール及び前記パネルの下縁部を覆う巾木と、前記パネルと略等しい見込幅で形成され、前記上レール及び前記下レールの分岐部又は屈折部に固定されることで隣り合う前記パネルを異なる見込み方向に連結可能な中柱と、を備え、前記巾木は、裏面に設けられた嵌合部によって前記下レールの側面に設けられた被嵌合部に装着され、前記中柱は、底面が前記嵌合部及び前記被嵌合部よりも上に配置されるように前記下レールに固定されることを特徴とする。
【００１２】
（請求項２）
請求項２に記載の発明は、上記した請求項１記載の発明の特徴点に加え、以下の点を特徴とする。
【００１３】
すなわち、前記中柱を前記上レールに固定するための上固定金具と、前記中柱を前記下レールに固定するための下固定金具と、を備え、前記上固定金具及び前記下固定金具は、前記中柱の内側に固定されて使用されることを特徴とする。
【００１４】
（請求項３）
請求項３に記載の発明は、上記した請求項２記載の発明の特徴点に加え、以下の点を特徴とする。
【００１５】
すなわち、前記中柱の下端部には切欠きが形成されるとともに、前記下レールの上面には前記切欠きに嵌入される突条が形成され、更に、前記突条は溝を形成し、前記下固定金具は、前記溝の間に配置されて前記下レールに固定されることを特徴とする。
【００１６】
（請求項４）
請求項４に記載の発明は、上記した請求項２又は３に記載の発明の特徴点に加え、以下の点を特徴とする。
【００１７】
すなわち、前記下固定金具は、上下方向に延びる長孔を介して前記中柱にねじ止めされることで、前記中柱に対しての上下位置を調整可能となっており、前記下固定金具を前記中柱に対して上位置にねじ止めしたときには、前記下固定金具が前記切欠きに入り込むように形成され、前記下固定金具を前記中柱に対して下位置にねじ止めしたときには、前記下固定金具が前記下レールに固定可能であることを特徴とする。
【００１８】
（請求項５）
請求項５に記載の発明は、上記した請求項２〜４のいずれかに記載の発明の特徴点に加え、以下の点を特徴とする。
【００１９】
すなわち、前記上固定金具の側部からは、ガイド片が下方に延設されており、このガイド片は、前記中柱の中空部の内周に沿うように設けられていることを特徴とする。
【００２０】
（請求項６）
請求項６に記載の発明は、上記した請求項１〜５のいずれかに記載の発明の特徴点に加え、以下の点を特徴とする。
【００２１】
すなわち、前記巾木は、前記中柱の下部を覆うように設けられ、前記中柱の下部を覆う部分には前記嵌合部が設けられていないことを特徴とする。
【００２２】
（請求項７）
請求項７に記載の発明は、以下の点を特徴とする。
【００２３】
請求項７に記載の間仕切り壁の施工方法は、パネルの上部を支持する上レールとパネルの下部を支持する下レールとを平行に配置し、この上レール及び下レールに沿って複数のパネルを連結するとともに、前記上レール及び前記下レールの分岐部又は屈折部に中柱を固定することで、隣り合うパネルを異なる見込み方向に連結可能とした間仕切り壁の施工方法であって、前記中柱を前記下レールに固定するための下固定金具を備え、この下固定金具は、上下方向に延びる長孔を介して前記中柱にねじ止めされることで、前記中柱に対しての上下位置を調整可能となっており、前記中柱の下端部には切欠きが形成されるとともに、前記下レールの上面には前記切欠きに嵌入される突条が形成されており、前記下固定金具を前記中柱に対しての上位置にねじ止めすることで、前記下固定金具が前記切欠きに入り込むように仮止めするステップと、前記中柱の切欠きに前記突条を嵌入させるように、前記中柱を前記下レールの上に載置するステップと、前記下固定金具の仮止めを緩めるステップと、前記下固定金具を前記下レールに当接するまで下方向にスライドさせるステップと、前記下固定金具を前記中柱及び前記下レールにねじ止めして固定するステップと、を備えることを特徴とする。
【００２４】
（請求項８）
請求項８に記載の発明は、以下の点を特徴とする。
【００２５】
請求項８に記載の間仕切り壁の施工方法は、パネルの上部を支持する上レールとパネルの下部を支持する下レールとを平行に配置し、この上レール及び下レールに沿って複数のパネルを連結するとともに、前記上レール及び前記下レールの分岐部又は屈折部に中柱を固定することで、隣り合うパネルを異なる見込み方向に連結可能とした間仕切り壁の施工方法であって、前記中柱を前記上レールに固定するための上固定金具を備え、この上固定金具は、前記中柱の中空部に挿入されるガイド片が下方に延設されたものであり、前記上レールに前記上固定金具を取り付けた後に、前記上固定金具のガイド片に沿って前記中柱を前記上レールに嵌め込み、前記上固定金具と前記中柱とを固定することを特徴とする。
【発明の効果】
【００２６】
請求項１に記載の発明は上記の通りであり、隣り合うパネルを異なる見込み方向に連結可能な中柱を備えているため、パネル同士を異なる見込方向に連設することができる。
【００２７】
また、この中柱は上レール及び下レールの分岐部又は屈折部に固定されるため、この中柱を位置決めに使用することができ、施工性が良い。
【００２８】
また、この中柱はパネルと略等しい見込幅で形成されているため、壁面に凹凸ができず、納まりの良い間仕切り壁を提供できる。
【００２９】
また、中柱は、底面が巾木の取付位置（嵌合部及び被嵌合部）よりも上に配置されるように下レールに固定されるため、中柱に加工を施さなくても中柱が巾木の取り付けに影響しない。よって、加工コストを削減できるとともに、見栄えも施工性も良い間仕切り壁を得ることができる。
【００３０】
また、請求項２に記載の発明は上記の通りであり、前記中柱を前記上レールに固定するための上固定金具及び前記中柱を前記下レールに固定するための下固定金具が、前記中柱の内側に固定されて使用される。このため、中柱の取り付けが容易であるとともに、固定金具が外部に露出せず、意匠性が良い。
【００３１】
また、請求項３に記載の発明は上記の通りであり、前記中柱の下端部には切欠きが形成されるとともに、前記下レールの上面には前記切欠きに嵌入される突条が形成され、更に、前記突条の溝の間に配置されるように、前記中柱を前記下レールに固定するための下固定金具が設けられている。このため、切欠きに突条が嵌入されることで容易かつ確実に中柱を取り付けることができる。
【００３２】
また、請求項４に記載の発明は上記の通りであり、前記下固定金具を前記中柱に対して上位置にねじ止めしたときには、前記下固定金具が前記切欠きに入り込むように形成され、前記下固定金具を前記中柱に対して下位置にねじ止めしたときには、前記下固定金具が前記下レールに固定可能となっている。このため、下固定金具を中柱に対して上位置にねじ止めしたときには、下固定金具が中柱の底面から突出しないようになっており、この位置に下固定金具を仮止めすれば、この下固定金具が、中柱の切欠きに下レールの突条が嵌入する際に邪魔になることがない。そして、中柱の切欠きに下レールの突条を嵌入させたのちに仮止めを解除して下位置に移動させれば、この下固定金具を介して中柱と下レールとを固定することができる。
【００３３】
また、請求項５に記載の発明は上記の通りであり、前記中柱は、前記上固定金具の側部からは、ガイド片が下方に延設されており、このガイド片は、前記中柱の中空部の内周に沿うように設けられている。このため、上レールに取り付けた上固定金具のガイド片に沿って中柱を取り付けることができ、中柱がガイド片に案内されるので、中柱の施工性を高めることができる。
【００３４】
また、請求項６に記載の発明は上記の通りであり、前記巾木は、前記中柱の下部を覆うように設けられている。このため、パネルだけでなく中柱の下部も巾木で覆うことができ、見栄えが良い。しかも、中柱の下部を覆う部分には嵌合部が設けられていないため、中柱に加工を施さなくても、嵌合部が取り付けの邪魔になることがない。
【００３５】
また、請求項７に記載の発明は上記の通りであり、下固定金具を中柱に対しての上位置に仮止めし、中柱を下レールの上に載置した後で下固定金具を下レールに当接するまで下方向にスライドさせ、下固定金具を中柱及び下レールにねじ止めして固定する。このため、中柱の切欠きに下レールの突条が嵌入する際には、下固定金具が中柱の底面から突出しないようになっており、下固定金具が邪魔になることがない。そして、中柱の切欠きに下レールの突条を嵌入させたのちに仮止めを解除して下位置に移動させれば、この下固定金具を介して中柱と下レールとを固定することができる。
【００３６】
また、請求項８に記載の発明は上記の通りであり、上レールに上固定金具を取り付けた後に、上固定金具のガイド片に沿って中柱を上レールに嵌め込み、上固定金具と中柱とを固定する。このため、中柱を取り付ける際に、先に上固定金具を上レールに取り付け、この上固定金具のガイド片に沿って中柱を取り付けることができるので、中柱の施工性を高めることができる。
【図面の簡単な説明】
【００３７】
【図１】間仕切り壁の縦断面図である。
【図２】間仕切り壁の屈折部を示す横断面図である。
【図３】間仕切り壁の分岐部を示す横断面図である。
【図４】中柱の（ａ）平面図、（ｂ）正面図（平面図のＡ視図）、（ｃ）側面図（平面図のＢ視図）である。
【図５】第１取付柱材の（ａ）平面図、（ｂ）正面図（平面図のＡ視図）、（ｃ）側面図（平面図のＢ視図）である。
【図６】第２取付柱材の（ａ）平面図、（ｂ）正面図（平面図のＡ視図）、（ｃ）側面図（平面図のＢ視図）である。
【図７】上固定金具の（ａ）平面図、（ｂ）正面図、（ｃ）側面図である。
【図８】下固定金具の（ａ）正面図、（ｂ）側面図である。
【図９】中柱の上レールに取り付ける様子を示す説明図であって、（ａ）取り付け前の状態を示す図、（ｂ）取り付け後の状態を示す図である。
【図１０】中柱の下レールに取り付ける様子を示す説明図であって、（ａ）取り付け前の状態を示す図、（ｂ）取り付け後の状態を示す図である。
【図１１】中柱のレールに取り付けた後の状態を示す横断面図である。
【図１２】中柱に第１取付柱材を取り付ける様子を示す説明図である。
【図１３】中柱の下部に巾木を取り付けた状態を示す説明図である。
【図１４】間仕切り壁の屈折部における巾木の取付方法を説明する図であって、第１の取付方法に係る横断面図である。
【図１５】図１４で示す第１の取付方法で使用される巾木（突き付け側）の（ａ）側面図、（ｂ）正面図、（ｃ）平面図である。
【図１６】図１４で示す第１の取付方法で使用される巾木（通し側）の（ａ）側面図、（ｂ）正面図、（ｃ）平面図である。
【図１７】間仕切り壁の屈折部における巾木の取付方法を説明する図であって、第２の取付方法に係る横断面図である。
【図１８】図１７で示す第２の取付方法で使用される巾木の（ａ）側面図、（ｂ）正面図、（ｃ）平面図である。
【図１９】間仕切り壁の屈折部における巾木の取付方法を説明する図であって、第３の取付方法に係る横断面図である。
【図２０】図１９で示す第３の取付方法で使用される巾木（突き付け側）の（ａ）側面図、（ｂ）背面図、（ｃ）平面図である。
【図２１】間仕切り壁の屈折部における巾木の取付方法を説明する図であって、第４の取付方法に係る横断面図である。
【図２２】図２１で示す第４の取付方法で使用される巾木（突き付け側）の（ａ）側面図、（ｂ）背面図、（ｃ）平面図である。
【図２３】間仕切り壁に棚部や引き戸部を設けた例を示す横断面図である。
【図２４】変形例に係る上固定金具の（ａ）平面図、（ｂ）正面図、（ｃ）側面図である。
【図２５】別の変形例に係る上固定金具の（ａ）平面図、（ｂ）正面図、（ｃ）側面図である。
【図２６】間仕切り壁の屈折部における部材の構成例を示す分解図である。
【図２７】間仕切り壁の分岐部における部材の構成例を示す分解図である。
【発明を実施するための形態】
【００３８】
本発明の実施形態について、図を参照しながら説明する。
【００３９】
本実施形態に係る間仕切り壁１０は、図１に示すように、パネル１１の上部を支持する上レール１６と、パネル１１の下部を支持する下レール１７とを平行に配置し、この上レール１６及び下レール１７に沿って複数のパネル１１を連結して構成されるものである。図１に示すように、下レール１７の側面には巾木２５が取り付けられており、下レール１７及びパネル１１の下縁部を覆うように形成されている。また、複数のパネル１１は接合部材３１を用いて互いに接合されている。
【００４０】
ここで、上レール１６及び下レール１７は、直線的に設けられるのみならず、別方向から延設されたレールを突き合わせて分岐部１０ａや屈折部１０ｂを形成可能となっており、図２及び図３に示すように、この分岐部１０ａや屈折部１０ｂに中柱４０が固定されることで隣り合うパネル１１が異なる見込み方向に連結可能となっている。なお、これらのパネル１１は直接的に中柱４０に連結されるのではなく、図２及び図３に示すように、第１取付柱材４７、第２取付柱材５２、幅調整部材４６を介して連結されており、これにより幅等を調節して収まりが良くなるように形成されている。
【００４１】
上レール１６は、パネル１１の上端部を挿入して支持するものであり、図１に示すように、断面コ字状の内側に形成された保持溝１６ａを下方に向けて開放させており、この保持溝１６ａにパネル１１の上端部が挿入されて保持される。この上レール１６は、上部が天井７０にビス等の固定手段を用いて固定される。
【００４２】
下レール１７は、パネル１１の下端部を載置して支持するものであり、図１に示すように、上下に略平行に配置された上板部１８及び底板部２１と、これら上板部１８及び底板部２１を繋ぐ二本の柱脚部２３とを有している。この下レール１７は、底板部２１が面ファスナー２４にて固着されて床７１に固定される。
【００４３】
この下レール１７の上板部１８の上面には、図１に示すように、後述するパネル１１の嵌合溝１３ａに嵌入される２本の突条１９が上方に向けて立設されている。この２本の突条１９は、パネル１１の見込方向に沿って平行に設けられており、この２本の突条１９の間に溝を形成している。
【００４４】
また、この下レール１７の上板部１８の縁部は、下方に折り曲げられて下垂部２０を形成しており、また、この下レール１７の底板部２１の縁部は、上方に折り曲げられて起立部２２を形成している。これらの下垂部２０及び起立部２２は、後述するように、巾木２５を取り付けるための被嵌合部として使用される。
【００４５】
パネル１１は、間仕切り壁１０の壁面を構成する部材であって、図１及び図２に示すように、上枠部材１２と、下枠部材１３と、左右の縦枠部材１４とを矩形に枠組みした枠体の内部に芯材１１ｂを格納し、表裏両面に表装板１１ａを張設したものである。
【００４６】
このパネル１１の下枠部材１３の下面には、図１に示すように、見込方向に沿って嵌合溝１３ａが形成されており、この嵌合溝１３ａの両側からは下方に突出した被挟持部１３ｂが形成されている。嵌合溝１３ａは、下レール１７の上面に形成された二本の突条１９が嵌合するためのものである。また、この嵌合溝１３ａの両側に設けられた被挟持部１３ｂは、下端が離反方向に延設されており、下レール１７の上板部１８の端部と重ね合わされて、巾木２５の挟持部２６で挟持されるものである。
【００４７】
巾木２５は、下レール１７及びパネル１１の下縁部を覆うように下レール１７の側面に装着されることで、間仕切り壁１０の床７１からの立ち上がり部をカバーするものである。この巾木２５は、図１に示すように、表面側には表装材２９が貼設されて意匠性を高めており、裏面側には前記下レール１７の側面に設けられた被嵌合部２０，２２と嵌合するための嵌合部２６，２７が設けられている。この巾木２５の嵌合部２６，２７は、水平方向に突出して形成され、上部に設けられた挟持部２６と、下部に設けられた係合部２７と、の２つの筋状突起で構成されている。
【００４８】
この巾木２５は、図１に示すように、挟持部２６が下レール１７の下垂部２０に係合し、係合部２７が下レール１７の起立部２２に係合することで、下レール１７に装着される。このとき、挟持部２６は、パネル１１の下端の被挟持部１３ｂと下レール１７の上板部１８の端部とを重ね合わせた状態で上下方向から挟み込む。
【００４９】
接合部材３１は、パネル１１や第１取付柱材４７、第２取付柱材５２、幅調整部材４６を連結するためのものであり、図２に示すように、縦方向に挟持溝３１ａを形成した部材である。この接合部材３１は、隣接して設けられた部材（パネル１１とパネル１１、パネル１１と幅調整部材４６、第１取付柱材４７と第２取付柱材５２、パネル１１と第１取付柱材４７）の重ね合わせた結合部１４ａを挟持溝３１ａで挟み込むことで、これらの部材を連結する。
【００５０】
中柱４０は、図２及び図３に示すように、上レール１６及び下レール１７の分岐部１０ａ又は屈折部１０ｂに固定されることで隣り合うパネル１１を異なる見込み方向に連結するためのものであり、図４に示すように、パネル１１と略等しい見込幅で形成された中空の四角柱状部材である。この中柱４０は、後述する上固定金具５４を介して上レール１６に固定されるものであり、この中柱４０の上部には上固定金具５４とねじで連結するための長孔（上固定孔４１）が穿設されている。また、この中柱４０は、後述する下固定金具５９を介して下レール１７に固定されるものであり、この中柱４０の下部には下固定金具５９とねじで連結するための長孔（下固定孔４２）が穿設されている。また、この中柱４０の下端部には切欠き４３が形成されている。この切欠き４３は、後述するように、下レール１７の２本の突条１９に嵌合するためのものである。
【００５１】
第１取付柱材４７は、図２及び図３に示すように、中柱４０に隣接するように連結される部材であり、中柱４０に対してねじで固定されるものである。この第１取付柱材４７の中柱４０と隣接する側には、図５に示すように、上部に上ねじ逃げ部５０が切欠かれて形成され、下部に下ねじ逃げ部５１が大きめの長孔として形成されている。上ねじ逃げ部５０は、第１取付柱材４７を中柱４０に取り付ける際に、中柱４０と上固定金具５４とを固定するねじ頭が当たらないようによけるためのものである。同様に、下ねじ逃げ部５１は、中柱４０と下固定金具５９とを固定するねじ頭が当たらないようによけるためのものである。一方、中柱４０と隣接する側の逆側には、後述する第２取付柱材５２と連結するための係合部４９が形成されている。この係合部４９は、第１取付柱材４７と第２取付柱材５２とを連結したときに、後述する第２取付柱材５２の係合部５３と重ね合わされて接合部材３１により挟持されるものである。
【００５２】
第２取付柱材５２は、図２及び図３に示すように、第１取付柱材４７に隣接するように連結される部材であり、上述したように、接合部材３１により第１取付柱材４７に連結される。この第２取付柱材５２の第１取付柱材４７と隣接する側には、図６に示すように、第１取付柱材４７と連結するための係合部５３が形成されており、接合部材３１の挟持溝３１ａで挟持可能に形成されている。
【００５３】
幅調整部材４６は、伸縮可能に組み合わされた断面略コ字状のカバー材４６ａと、このカバー材４６ａの内部に圧縮可能に充填された充填材４６ｂと、で形成され（図２６及び図２７参照）、幅方向に伸縮可能に形成した壁状部材である。この幅調整部材４６は、図２及び図３に示すように、一端が第２取付柱材５２に連結され、他端がパネル１１に連結されて使用される。これにより、パネル１１の幅と希望の壁長とがうまく適合しない場合でも、この幅調整部材４６で壁長を調節することができる。
【００５４】
なお、上記説明においては、中柱４０、第１取付柱材４７、第２取付柱材５２、幅調整部材４６、パネル１１の順で連結することとしているが、これに限らない。所望の壁長とするために、例えば第２取付柱材５２及び幅調整部材４６を設けず、第１取付柱材４７とパネル１１とを接合部材３１で連結することとしてもよい。
【００５５】
ここで、中柱４０を上レール１６に固定するための上固定金具５４は、図７に示すように、側面視コ字状の部材であり、上板５５の両端側部から下方に垂直にガイド片５７が延設されている。上板５５にはねじ孔５６が穿設されており、このねじ孔５６を貫通するように締結されたねじにより、上固定金具５４は上レール１６及び天井７０に固定される。また、ガイド片５７には、ねじ孔５８が穿設されており、このねじ孔５８を貫通するように締結されたねじにより、上固定金具５４は中柱４０の内側に固定される。このとき、ガイド片５７は、後述するように、中柱４０の中空部の内周に沿うように中柱４０の内側に固定される。
【００５６】
また、中柱４０を下レール１７に固定するための下固定金具５９は、図８に示すように、側面視Ｌ字状の部材であり、下板６０と、この下板６０の端部から垂直上方に立設形成された立設部６２と、からなる。下板６０にはねじ孔６１が穿設されており、このねじ孔６１を貫通するように締結されたねじにより、下固定金具５９は下レール１７に固定される。また、立設部６２にはねじ孔６３が穿設されており、このねじ孔６３を貫通するように締結されたねじにより、下固定金具５９は中柱４０の内側に固定される。
【００５７】
この下固定金具５９は、後述するように、上下方向に延びる長孔で形成された下固定孔４２を介して中柱４０にねじ止め固定されるものであり、この長孔に沿ってねじの固定位置を上下動させることにより、中柱４０に対しての上下位置を調整可能に形成されている。具体的には、この下固定金具５９を中柱４０に対して上位置にねじ止めしたときには、下固定金具５９の下板６０が中柱４０の切欠き４３に入り込むように形成されており、また、下固定金具５９を中柱４０に対して下位置にねじ止めしたときには、下固定金具５９の下板６０を下レール１７の上面に当接させてねじで固定することができるように形成されている。
【００５８】
なお、本実施形態においては、中柱４０に長孔で形成した下固定孔４２を設け、この長孔によって下固定金具５９の上下位置を調整可能に形成しているが、これに限らず、下固定金具５９のねじ孔６３を長孔で形成し、この長孔によって下固定金具５９の上下位置を調整可能に形成してもよい。
【００５９】
次に、上記したような間仕切り壁１０の施工方法について説明する。特に、中柱４０の設置に焦点をあてて説明する。
【００６０】
本実施形態に係る間仕切り壁１０を施工する際には、まず、天井７０に上レール１６をビス等の固定手段にて固定し、また、床７１に下レール１７を面ファスナー２４にて固定する。このとき、上レール１６及び下レール１７で分岐部１０ａを形成し、間仕切り壁１０をＴ字状に配置する場合には、通し側の上レール１６及び下レール１７の側面に対して、突き付け側の上レール１６及び下レール１７の端部を突き当てる形でレールを配置する（図１１等参照）。また、上レール１６及び下レール１７で屈折部１０ｂを形成し、間仕切り壁１０をＬ字状に配置する場合には、通し側の上レール１６及び下レール１７の端部側面に対して、突き付け側の上レール１６及び下レール１７の端部を突き当てる形でレールを配置する（図１４等参照）。
【００６１】
次に、上記した分岐部１０ａや屈折部１０ｂに中柱４０を固定する。
【００６２】
詳しくは、まず、上固定金具５４を予め上レール１６に取り付けるとともに、下固定金具５９を予め中柱４０に取り付ける。このとき、図１０に示すように、下固定金具５９は、上下方向に延びる長孔で形成された下固定孔４２を介して中柱４０にねじ止めされるため、中柱４０に対しての上下位置を調整可能となっているが、下レール１７に固定する前の状態においては、図１０（ａ）に示すように、中柱４０に対して上位置となるように下固定ねじ４５でねじ止めすることで、下板６０が中柱４０の切欠き４３に入り込むように仮止めする。これにより、下固定金具５９が中柱４０の底面４０ａから突出しないようになっており、後述するように下レール１７の上に中柱４０を載置する際に下固定金具５９が邪魔にならないように形成されている。
【００６３】
その後、図９（ａ）に示すように、上レール１６に取り付けた上固定金具５４のガイド片５７に沿って中柱４０を上レール１６に嵌め込む。すなわち、中柱４０を傾けた状態でガイド片５７の下端にまで中柱４０の上端を移動させ、ガイド片５７を中柱４０の中空に挿入し、ガイド片５７に中柱４０の内周を沿わせて中柱４０を垂直に立ち上げる。そして、上固定金具５４のねじ孔５８と中柱４０の上固定孔４１とを上固定ねじ４４で貫通して締結し、上固定金具５４と中柱４０とを固定する。
【００６４】
このとき、中柱４０の下端部は、図１０（ｂ）に示すように、下レール１７の上面に載置されることとなる。そして、中柱４０の下端部には切欠き４３が形成されているため、この切欠き４３に下レール１７上面の２本の突条１９が嵌入する。このように中柱４０が下レール１７の上面に載置されたら、下固定ねじ４５による仮止めを緩めて、中柱４０に予め固定した下固定金具５９を下固定孔４２に沿って下方にスライドさせる。そして、下固定金具５９の下板６０が下レール１７の上板部１８に当接するまで下方に移動させ、下固定金具５９の下板６０が下レール１７の上板部１８に当接したら、下固定ねじ４５を締め直して本締めするとともに、下固定金具５９の下板６０と下レール１７の上板部１８とをねじで締結する。これにより、下固定金具５９は、２本の突条１９の間に配置されて前記下レール１７に固定される。
【００６５】
なお、本実施形態においては、中柱４０を下レール１７に固定する下固定金具５９は１つとし、中柱４０の一側面においてのみ取り付けている。これは、中柱４０の目的が主に位置出しであり、強度補強を主な目的とはしていないためである。しかしながら、Ｔ字状の分岐部１０ａに中柱４０を固定する際には、中柱４０の両側面に下固定金具５９を取り付け、強度アップを図ることとしてもよい。
【００６６】
以上のように中柱４０を上レール１６及び下レール１７へ固定することで、図１１に示すように、この中柱４０を基準としてパネル１１等を配置すればよいため、分岐部１０ａや屈折部１０ｂでパネル等がずれてしまうなどの問題が起きず、施工性が良いものとなっている。すなわち、上記のような中柱４０の固定が完了したら、図１２に示すように、第１取付柱材４７を見込方向に沿って配置し、更に必要に応じて第２取付柱材５２や幅調整部材４６を配置し、パネル１１を連結すれば、Ｔ字状やＬ字状に分岐あるいは屈折させて、パネル１１を配置することができる。
【００６７】
なお、中柱４０と下固定金具５９とを固定する下固定ねじ４５の頭部は、図１２が示すように、第１取付柱材４７によって覆われ、外部に露出せず、見栄えが良い。このとき、下固定ねじ４５の頭部と相対する第１取付柱材４７の側面には、下ねじ逃げ部５１が形成されているため、下固定ねじ４５の頭部と第１取付柱材４７とが干渉することもない。
【００６８】
同様に、中柱４０と上固定金具５４とを固定する上固定ねじ４４の頭部も、第１取付柱材４７によって覆われ、外部に露出せず、見栄えが良い。そして、上固定ねじ４４の頭部と相対する第１取付柱材４７の側面には、上ねじ逃げ部５０が形成されているため、上固定ねじ４４の頭部と第１取付柱材４７とが干渉することもない。
【００６９】
パネル１１の配置が完了したら、次に巾木２５を取り付ける。巾木２５は、壁長などに合わせて施工現場で適切な幅に切断して使用すればよい。この巾木２５は、図１３に示すように、嵌合部２６，２７を下レール１７の被嵌合部２０，２２に嵌合させることで、下レール１７に装着される。このとき、図１３に示すように、中柱４０の底面４０ａは、嵌合部２６，２７及び被嵌合部２０，２２よりも上に配置されているため、中柱４０が巾木２５の取り付けに影響しないように形成されている。
【００７０】
次に、Ｌ字状に形成された屈折部１０ｂにおける巾木２５の取り付けに関して説明する。ここで、本実施形態に係る巾木２５の取り付けに関しては、例えば図１４に示すように、通し側の下レール１７’の端部が、この通し側の下レール１７’の側面に突き当たるように配置された突き付け側の下レール１７’’の側面と連続するため、この突き付け側の下レール１７’’の側面全体を巾木２５で覆うためには、被嵌合部２０，２２が形成されていない通し側の下レール１７’の端部をも巾木２５で覆う必要がある。また、屈折部１０ｂに角部ができるため、安全性の面からこの角部をカバーするのが望ましい。
【００７１】
上記したような点を踏まえ、本実施形態においては、以下の４つの取付方法について説明する。
【００７２】
まず、第１の取付方法は、図１４〜図１６に示すものであり、下レール１７の外側面を完全に覆うように巾木２５を配置する。このとき、突き付け側の下レール１７’’の側面を覆う巾木２５（Ｂ）は、その裏面に長手方向全長に渡って嵌合部２６，２７が設けられるのではなく、図１５に示すように、両端部には嵌合部２６，２７が設けられていない平坦端部２８が形成されており、通し側の下レール１７’の端部に当接する位置には嵌合部２６，２７が設けられていない。このため、巾木２５で中柱４０の下部を覆うことができるとともに、この中柱４０の下部を覆う部分に嵌合部２６，２７が設けられておらず、通し側の下レール１７’の端部に嵌合部２６，２７が当たって邪魔になることがない。
【００７３】
そして、通し側の下レール１７’の側面を覆う巾木２５（Ａ）も、突き付け側の下レール１７’’の側面を覆う巾木２５（Ｂ）も、図１５及び図１６に示すように、表面端部の表装材２９が切削されて表装切削部３０が形成されており、図１４に示すように、この表装切削部３０にコーナーカバー６４を取り付けることで屈折部１０ｂの角部をカバーするように形成されている。
【００７４】
なお、本実施形態に係る巾木２５は、左右対称で形成されており、このため、平坦端部２８や表装切削部３０も巾木２５の両端に形成されている。これにより、中左右いずれに中柱４０が配置されても対応できるようになっている。なお、柱４０が配置されない側に平坦端部２８や表装切削部３０が設けられている場合は、この平坦端部２８や表装切削部３０が設けられた端部をカットして使用すればよい。この点は、後述する他の取付方法に係る巾木２５についても同様である。
【００７５】
また、第２の取付方法は、図１７及び図１８に示すものであり、この取付方法においては、屈折部１０ｂの角部には巾木２５を設けず、屈折部１０ｂの角部全体をコーナーカバー６４で覆うようにしている。このため、通し側の下レール１７’の端部と当接する位置に巾木２５を設ける必要がないため、図１８に示すような巾木２５（Ｃ）のみで対応できる。この巾木２５（Ｃ）は、第１の取付方法とは異なり、平坦端部２８や表装切削部３０を設けるための加工が必要ない点で有利である。ただし、下レール１７に直接コーナーカバー６４を取り付けることができないため、下レール１７に取り付けたカバー金具６５を介してコーナーカバー６４を取り付けることとなるので、カバー金具６５を新たに用意する必要がある。このカバー金具６５は、コーナー隅部を覆う形状で形成される。
【００７６】
また、第３の取付方法は、図１９及び図２０に示すものであり、突き付け側の下レール１７’’の側面を覆う巾木２５（Ｄ）の両端部に平坦端部２８を形成している点では第１の取付方法と同様である。しかしながら、この取付方法においては、巾木２５（Ｃ）及び巾木２５（Ｄ）の両端に表装切削部３０を形成せず、表装材２９の上に直接コーナーカバー６４を接着材等で取り付けている。
【００７７】
また、第４の取付方法は、図２１及び図２２に示すものであり、図２１に示すように、屈折部１０ｂの角部の一部を残すように巾木２５を設けている。突き付け側の下レール１７’’の側面を覆う巾木２５（Ｅ）の両端部には、図２２に示すように、平坦端部２８が形成されており、この平坦端部２８が、通し側の下レール１７’の端部に当接する。このとき、平坦端部２８で下レール１７’の端部をすべて覆うのではなく、角付近を残すように配置されている。同様に、通し側の下レール１７’の側面を覆う巾木２５（Ｃ）も、角付近を残すように配置されている。そして、この巾木２５が設けられていない角付近にコーナーカバー６４を取り付けている。なお、コーナーカバー６４が取り付けられる通し側の下レール１７’の角は、上板部１８と底板部２１との間に隙間があるため、コーナーカバー６４との接着面が確保できない。このため、この上板部１８と底板部２１との隙間に詰め物などを充填し、この詰め物に対してコーナーカバー６４を接着して取り付けるようにしている。
【００７８】
なお、上記したように、Ｌ字状に形成された屈折部１０ｂにおいて、下レール１７には巾木２５が配置され、角部はコーナーカバー６４で保護される。一方、上レール１６においては、通し側の上レール１６の端部を覆うように小口キャップ３２が取り付けられる（図２６参照）。この小口キャップ３２は、上固定金具５４と共締めされることによって上レール１６に固定される。
【００７９】
以上のように巾木２５等を取り付ければ、間仕切り壁１０が完成する。本実施形態に係る間仕切り壁１０を使用すれば、例えば図２３に示すように、略平行に配置したパネル１１の内側に棚板支持具６７を取り付け、この棚板支持具６７の上に架け渡すように棚板６６を配置すれば、棚を形成することもできる。この棚板支持具６７は、第２取付柱材などの金属部に取り付けることが望ましく、金属製のパネルを別途設けて、この金属製のパネルに棚板支持具６７を取り付けてもよい。また、この棚の前方に引き戸６８を取り付ければ、クローゼットとして使用することもでき、単に壁を形成するのみならず、生活環境に合わせて室内空間を改装することができる。
【００８０】
なお、上記した説明においては、両端のガイド片５７が同じ長さで形成された上固定金具５４を例に説明したが、これに限らず、図２４に示すように、一方のガイド片５７が長く形成された上固定金具５４を使用してもよい。また、図２５に示すように、ガイド片５７の端部５７aを内側に屈折させて、中柱４０に挿入し易く形成した上固定金具５４を使用してもよい。
【００８１】
また、上記した説明においては、Ｔ字やＬ字にパネル１１を連設したが、十字状にパネル１１を連設してもよい。
【００８２】
また、上記した説明においては、四角柱状の中柱４０を使用したが、これに限らず、四角柱以外の多角柱状の中柱や、円筒状の中柱を使用してもよい。また、パネルの連設方向についても、直交する方向に連設するのみならず、中柱を中心に任意の方向に連設してもよい。
【００８３】
以上説明したように、本実施形態によれば、隣り合うパネル１１を異なる見込み方向に連結可能な中柱４０を備えているため、パネル１１同士を異なる見込方向に連設することができる。
【００８４】
また、この中柱４０は上レール１６及び下レール１７の分岐部１０ａ又は屈折部１０ｂに固定されるため、この中柱４０を位置決めに使用することができ、施工性が良い。
【００８５】
また、この中柱４０はパネル１１と略等しい見込幅で形成されているため、壁面に凹凸ができず、納まりの良い間仕切り壁１０を提供できる。
【００８６】
また、中柱４０は、底面４０ａが巾木２５の取付位置（嵌合部２６，２７及び被嵌合部２０，２２）よりも上に配置されるように下レール１７に固定されるため、中柱４０に加工を施さなくても中柱４０と巾木２５とが干渉しない。よって、加工コストを削減できるとともに、見栄えも施工性も良い間仕切り壁１０を得ることができる。
【００８７】
また、中柱４０を上レール１６に固定するための上固定金具５４及び中柱４０を下レール１７に固定するための下固定金具５９が、中柱４０の内側に固定されて使用される。このため、中柱４０の取り付けが容易であるとともに、固定金具５４，５９が外部に露出せず、意匠性が良い。
【００８８】
また、中柱４０の下端部には切欠き４３が形成されるとともに、下レール１７の上面には切欠き４３に嵌入される２本の突条１９が形成され、更に、この２本の突条１９の間に配置されるように、下固定金具５９が設けられている。このため、切欠き４３に突条１９が嵌入されることで容易かつ確実に中柱４０を取り付けることができる。
【００８９】
また、間仕切り壁１０を一度設置した後に、分岐部１０ａと屈折部１０ｂとを相互に変更することもでき、リフォーム等にも対応できる。例えば、Ｌ字状の屈折部１０ｂをＴ字状の分岐部１０ａに変更する場合には、巾木２５やコーナーカバー６４を一度取り外した後に、通し側の上レール１６の端部に新たな上レール１６を繋ぎ合せるとともに、通し側の下レール１７の端部に新たな下レール１７を繋ぎ合せて、この新たなレールに沿って第１取付柱材４７、第２取付柱材５２、幅調整部材４６、パネル１１などを配設し、再度巾木２５を取り付ければよい。
【符号の説明】
【００９０】
１０  間仕切り壁
１０ａ  分岐部
１０ｂ  屈折部
１１  パネル
１１ａ  表装板
１１ｂ  芯材
１２  上枠部材
１３  下枠部材
１３ａ  嵌合溝
１３ｂ  被挟持部
１４  縦枠部材
１４ａ  結合部
１６  上レール
１６ａ  保持溝
１７  下レール
１８  上板部
１９  突条
２０  下垂部（被嵌合部）
２１  底板部
２２  起立部（被嵌合部）
２３  柱脚部
２４  面ファスナー
２５  巾木
２６  挟持部（嵌合部）
２７  係合部（嵌合部）
２８  平坦端部
２９  表装材
３０  表装切削部
３１  接合部材
３１ａ挟持溝
３２  小口キャップ
４０  中柱
４０ａ  底面
４１  上固定孔
４２  下固定孔（長孔）
４３  切欠き
４４  上固定ねじ
４５  下固定ねじ
４６  幅調整部材
４６ａ  カバー材
４６ｂ  充填材
４７  第１取付柱材
５０  上ねじ逃げ部
５１  下ねじ逃げ部
５２  第２取付柱材
５４  上固定金具
５５  上板
５７  ガイド片
５９  下固定金具
６０  下板
６２  立設部
６４  コーナーカバー
６５  カバー金具
６６  棚板
６７  棚板支持具
６８  引き戸
７０  天井
７１  床
【図１】
2012082601.tif 000003
【図２】
2012082601.tif 000004
【図３】
2012082601.tif 000005
【図４】
2012082601.tif 000006
【図５】
2012082601.tif 000007
【図６】
2012082601.tif 000008
【図７】
2012082601.tif 000009
【図８】
2012082601.tif 000010
【図９】
2012082601.tif 000011
【図１０】
2012082601.tif 000012
【図１１】
2012082601.tif 000013
【図１２】
2012082601.tif 000014
【図１３】
2012082601.tif 000015
【図１４】
2012082601.tif 000016
【図１５】
2012082601.tif 000017
【図１６】
2012082601.tif 000018
【図１７】
2012082601.tif 000019
【図１８】
2012082601.tif 000020
【図１９】
2012082601.tif 000021
【図２０】
2012082601.tif 000022
【図２１】
2012082601.tif 000023
【図２２】
2012082601.tif 000024
【図２３】
2012082601.tif 000025
【図２４】
2012082601.tif 000026
【図２５】
2012082601.tif 000027
【図２６】
2012082601.tif 000028
【図２７】
2012082601.tif 000029